(57)【要約】【目的】ＣＡＤによって作成された設計対象のレイアウトデータを利用して、目的に応じた設計対象領域の図面データを作成すること。【構成】領域指定部１０９はＣＡＤによって作成された設計対象のレイアウトデータを記憶部１０４から読み出してレイアウトデータにおける図面作成領域を指定し、セル生成部１１０は領域指定部１０９によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換して指定領域図形セルを生成し、図面作成部１１１は前記指定領域図形セルを図面台紙セル内に配置することによって前記図面作成領域の図面データを作成する。【選択図】図１
2011081503.tif 000002
【特許請求の範囲】
【請求項１】
ＣＡＤによって作成された設計対象のレイアウトデータを記憶する記憶手段と、
前記レイアウトデータにおける図面作成領域を指定する領域指定手段と、
前記領域指定手段によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって指定領域図形セルを生成するセル生成手段と、
前記指定領域図形セルを図面台紙セル内に配置することによって、前記図面作成領域のレイアウトデータに対応する図面データを作成する図面データ作成手段とを備えて成ることを特徴とする図面データ作成装置。
【請求項２】
前記レイアウトデータを変更する変更手段と、
前記変更手段によって変更された変更領域を含む変更前の図面データを検索して抽出する検索手段と、
前記検索手段が抽出した変更前の図面データに前記変更手段によるレイアウトデータの変更内容を反映させ、前記変更前の図面データを変更した図面データであることを示す識別情報を付けて保存する変更図面作成手段とを備えて成ることを特徴とする請求項１記載の図面データ作成装置。
【請求項３】
コンピュータを、
ＣＡＤによって作成され記憶手段に記憶された設計対象のレイアウトデータにおける図面作成領域を指定する領域指定手段と、
前記領域指定手段によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって指定領域図形セルを生成するセル生成手段と、
前記指定領域図形セルを図面台紙セル内に配置することによって、前記図面作成領域のレイアウトデータに対応する図面データを作成する図面データ作成手段と、
前記レイアウトデータを変更する変更手段と、
前記変更手段によって変更された変更領域を含む変更前の図面データを検索して抽出する検索手段と、
前記検索手段が抽出した変更前の図面データに前記変更手段によるレイアウトデータの変更内容を反映させ、前記変更前の図面データを変更した図面データであることを示す識別情報を付けて保存する変更図面作成手段として機能させることを特徴とするプログラム。
【発明の詳細な説明】
【技術分野】
【０００１】
本発明は、ＣＡＤ（Conputer Aided Design）によって作成した設計対象のレイアウトデータを利用して簡略化した図面データを作成する図面データ作成装置、及び、コンピュータを用いて前記図面データ作成装置を実現するプログラムに関する。
【背景技術】
【０００２】
従来から、携帯電話の表示パネルやフラットパネルディスプレイ（ＦＰＤ）等の表示装置のマスクパターン設計、大規模集積回路（ＬＳＩ）設計、機構設計等、多岐の分野にわたってＣＡＤが利用されている。
ＣＡＤを用いて作成した設計対象のＣＡＤデータには、設計対象を構成する電子部品、機構部品、配線パターン等の構成要素（部品セル）の配置、形状、大きさ、線幅等、多様なデータが含まれている。
【０００３】
このようにＣＡＤデータには多様なデータが含まれデータ量が膨大となるため、特許文献１に記載された発明では、ＣＡＤデータをＷＥＢサーバで利用する場合、ＣＡＤデータの一部を取り出してＷＥＢサーバに送信し、前記一部のＣＡＤデータを前記ＷＥＢサーバで利用するようにしている。これにより、ＷＥＢサーバ上で必要なＣＡＤデータを利用することが可能にしている。
しかしながら、引用文献１記載の発明は、外部から視認できない不可視部品および不可視部品を含む部品を特定し、不可視部品については全てＣＡＤデータから削除し、不可視部品を含む部品については不可視部品のみを削除し、不可視部品等が削除されたＣＡＤデータをＷＥＢサーバに送信してＷＥＢ公開用のデータに変更して利用している。
【０００４】
このように引用文献１記載の発明は、ＷＥＢサーバを用いてＣＡＤデータを利用することを目的とする発明であり、設計対象の外観仕様等を規定する図面データの作成とは分野を異にする発明である。また、引用文献１記載の発明では、外部から視認できない不可視部品および不可視部品を含む部品について全て又は一部のＣＡＤデータを削除するように構成しているため、目的に応じた所望領域の図面データ作成には対応できないという問題がある。
【先行技術文献】
【特許文献】
【０００５】
【特許文献１】特開２００２−２９７６７１号公報
【発明の開示】
【発明が解決しようとする課題】
【０００６】
本発明の第１の課題は、ＣＡＤによって作成された設計対象のレイアウトデータを利用して、目的に応じた設計対象領域の図面データを作成できるようにすることである。
また、本発明の第２の課題は、ＣＡＤによって作成された設計対象のレイアウトデータを利用して、目的に応じた設計対象領域の図面データを作成できるようにすると共に、レイアウトデータの内容が変更された場合に、変更内容に関連する図面データに変更内容を自動的に反映させて変更履歴を管理することである。
【課題を解決するための手段】
【０００７】
本発明の第１の視点によれば、ＣＡＤによって作成された設計対象のレイアウトデータを記憶する記憶手段と、前記レイアウトデータにおける図面作成領域を指定する領域指定手段と、前記領域指定手段によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって指定領域図形セルを生成するセル生成手段と、前記指定領域図形セルを図面台紙セル内に配置することによって、前記図面作成領域のレイアウトデータに対応する図面データを作成する図面データ作成手段とを備えて成ることを特徴とする図面データ作成装置がていきょうされる。
【０００８】
ここで、前記レイアウトデータを変更する変更手段と、前記変更手段によって変更された変更領域を含む変更前の図面データを検索して抽出する検索手段と、前記検索手段が抽出した変更前の図面データに前記変更手段によるレイアウトデータの変更内容を反映させ、前記変更前の図面データを変更した図面データであることを示す識別情報を付けて保存する変更図面作成手段とを備えて成るように構成してもよい。
【０００９】
また、本発明の第２の視点によれば、コンピュータを、ＣＡＤによって作成され記憶手段に記憶された設計対象のレイアウトデータにおける図面作成領域を指定する領域指定手段と、前記領域指定手段によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって指定領域図形セルを生成するセル生成手段と、前記指定領域図形セルを図面台紙セル内に配置することによって、前記図面作成領域のレイアウトデータに対応する図面データを作成する図面データ作成手段と、前記レイアウトデータを変更する変更手段と、前記変更手段によって変更された変更領域を含む変更前の図面データを検索して抽出する検索手段と、前記検索手段が抽出した変更前の図面データに前記変更手段によるレイアウトデータの変更内容を反映させ、前記変更前の図面データを変更した図面データであることを示す識別情報を付けて保存する変更図面作成手段として機能させることを特徴とするプログラムが提供される。
【発明の効果】
【００１０】
本発明の図面データ作成装置によれば、ＣＡＤによって作成された設計対象のレイアウトデータを利用して、目的に応じた設計対象領域の図面データを作成することができる。
また、本発明の図面データ作成装置によれば、ＣＡＤによって作成された設計対象のレイアウトデータを利用して、目的に応じた設計対象領域の図面データを作成できるようにすると共に、レイアウトデータの内容が変更された場合に、変更内容に関連する図面データに変更内容を自動的に反映させて変更履歴を管理することが可能になる。
また、コンピュータが本発明のプログラムを実行することにより、ＣＡＤによって作成された設計対象のレイアウトデータを利用して、目的に応じた設計対象領域の図面データを作成できるようにすると共に、レイアウトデータの内容が変更された場合に、変更内容に関連する図面データに変更内容を自動的に反映させて変更履歴を管理することが可能な図面データ作成装置を構築することができる。
【図面の簡単な説明】
【００１１】
【図１】本発明の実施の形態に係る図面データ作成装置のブロック図である。
【図２】本発明の実施の形態の処理を示すフローチャートである。
【図３】本発明の実施の形態の処理を示すフローチャートである。
【図４】本発明の実施の形態の動作を説明するための説明図である。
【図５】本発明の実施の形態の動作を説明するための説明図である。
【図６】本発明の実施の形態の動作を説明するための説明図である。
【図７】本発明の実施の形態の動作を説明するための説明図である。
【図８】本発明の実施の形態の動作を説明するための説明図である。
【図９】本発明の実施の形態の動作を説明するための説明図である。
【図１０】本発明の実施の形態の動作を説明するための説明図である。
【発明を実施するための形態】
【００１２】
以下、本発明の実施の形態に係る図面データ作成装置、図面データ作成方法、図面データ作成用プログラム及び図面データ作成用プログラムを記録したコンピュータ読み取り可能な記録媒体について、図面に沿って説明する。尚、各図において、同一図形の部分には同一符号を付している。
図１は、本発明の実施の形態に係る図面データ作成装置１００のブロック図である。
本実施の形態に係る図面データ作成装置１００は、ＣＡＤ（Conputer Aided Design）によって作成した設計対象のレイアウトデータを利用して図面データを作成する機能を有している。レイアウトデータは設計対象の全ての構成要素（レイアウト要素）の配置を示した図形データであり、例えば、設計対象を構成する電子部品、配線パターン、機構部品等の構成要素の形状、配置、線幅、接続関係のデータが含まれている。
【００１３】
図面データは、設計対象の設計目的に応じて、使用するレイアウトデータはそのままの形で抽出し、使用しないレイアウトデータは当該レイアウトデータを簡略化した形で抽出し、これらの抽出したデータを、図面を配置する台紙に相当する図面台紙セル内に配置したデータである。
本実施の形態では、図面データが携帯電話の表示パネルの外観設計用図面データであるため、視認できる構成要素であるガラスパネルや配線パターンはＣＡＤのレイアウトデータからそのままの形で抽出し、視認できない構成要素である画素は複数個纏めて外枠セルに簡略化して抽出する。尚、簡略化する際、レイアウトデータのうち、同一機能を有し連続して配置された複数のレイアウト要素を一纏めとして、前記一纏めにしたレイアウト要素の輪郭である外枠セルによって前記複数のレイアウト要素を置換し、前記外枠セルを他のレイアウト要素とともに図面台紙セル内に配置するようにしている。
【００１４】
即ち、図面データは、ＣＡＤのレイアウトデータの少なくとも一部を外枠セルによって置換し、図面を配置する台紙に相当する図面台紙セル内に配置したデータであり、レイアウトデータから設計目的に応じて、不要なデータを簡略化したデータに置換した設計図面データである。
図面データ作成装置１００は、コンピュータに、記録媒体１２０に記録した図面データ作成用プログラムを実行させることによって構築することができる。
【００１５】
図１において、図面データ作成装置は、マウス１０５やキーボード１０６を有する操作部１０１、中央処理装置（ＣＰＵ）によって構成され図面データ作成処理を行うデータ処理部１０２、液晶表示装置（ＬＣＤ）等によって構成され表示手段を構成する表示部１０３、データ処理部１０２が実行するプログラムや各種データを記憶する記憶部１０４を備えている。記憶部１０４は磁気ディスク等によって構成されており、記憶手段を構成している。
【００１６】
ＣＤ−ＲＯＭ（Compact Disc − Read Only Memory）等のコンピュータ読み取り可能な記録媒体１２０には、データ処理部１０２が実行する図面データ作成プログラムが記録されている。記録媒体１２０に記録された前記プログラムは、記憶部１０４のプログラム領域に記憶して利用される。
データ処理部１０２は、記憶部１０４に記憶したプログラムを実行することにより、図面データ作成部１０７、変更図面データ作成部１０８を構築する
【００１７】
図面データ作成部１０７は、ＣＡＤによって作成され記憶部１０４に記憶された設計対象のレイアウトデータを利用して図面データを作成する機能を有する。
図面データ作成部１０７は、領域指定部１０９、セル生成部１１０、図面作成部１１１を有している。領域指定部１０９は、操作部１０１によって指定されたレイアウトデータの図面作成領域を判断する機能を有している。
【００１８】
セル生成部１１０は、図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって指定領域図形セルを生成する機能を有している。指定領域図形セルは、図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換することによって得られる図形データである。
【００１９】
図面作成部１１１は、指定領域図形セルを図面台紙セル内に配置した図面データを作成する機能を有している。また、図面作成部１１１は、作成した図面データを記憶部１０４に記憶して保存する機能を有している。
変更図面データ作成部１０８は、記憶部１０４に記憶したレイアウトデータが変更された場合、当該変更箇所に関連する全ての図面データに前記変更内容を反映させた新たな図面データを作成し、変更後の図面データであることを表す識別情報を付して保存する機能を有する。
【００２０】
変更部１１２は、操作部１０１の操作に応答して記憶部１０４に記憶したレイアウトデータを変更する機能を有している。検索部１１３は、記憶部１０４に記憶された図面データの中から、変更部１１２によって変更された変更領域を含む変更前の図面データを検索して抽出する機能を有している。変更図面作成部１１４は、検索部１１３が抽出した変更前の図面データに変更部１１２によるレイアウトデータの変更内容を反映させ、変更後の図面データであることが解るような識別情報を付けて保存する機能を有している。
【００２１】
尚、本実施の形態では、識別情報として、図面データのファイル名を、基本ファイル名と当該図面データの作成年月日及び時刻を含むように構成しており、ファイル名によって改訂履歴が判別できるように構成している。
ここで、操作部１０１及び領域指定部１０９は領域指定手段の一例を構成し、セル生成部１１０はセル生成手段の一例を構成し、図面作成部１１１は図面データ作成手段を構成している。また、操作部１０１及び変更部１１２は変更手段を構成し、検索部１１３は検索手段を構成し、変更図面作成部１１４は変更図面作成手段を構成している。
【００２２】
図２は、本発明の実施の形態においてレイアウトデータから図面データを作成するときの処理を示すフローチャートである。
図４〜図８は、本発明の実施の形態においてレイアウトデータから図面データを作成するときの処理を示す説明図であり、表示部１０３に表示される表示内容を示している。
以下、図１、図２、図４〜図８を参照して、レイアウトデータから図面データを作成するときの動作を説明する。
【００２３】
先ず、操作部１０１のマウス１０５やキーボード１０６を操作して、記憶部１０４に記憶されているレイアウトデータを表示部１０３に表示させる。
本実施の形態ではレイアウトデータとして携帯電話の表示パネルの例を示しており、表示部１０３には、図４の実線で示した図が携帯電話の表示パネルのレイアウトデータとして表示される。
【００２４】
図４において、４０１は表示パネルのガラスパネル、４０２はマトリクス配置された複数の画素（薄膜トランジスタ（ＴＦＴ）を含む。）によって構成される表示領域、４０３はドライバ集積回路（ＩＣ）、４０４はフレキシブル基板用の複数の端子である。また、４０５、４０６は各画素とドライバＩＣ４０３を接続する複数の配線パターン、４０７はドライバＩＣ４０３と複数のフレキシブル基板用端子４０４とを接続する配線パターンである。
【００２５】
先ずユーザが操作部１０１を操作して、表示部１０３に表示されたレイアウトデータにおける図面作成領域を指定すると、領域指定部１０９は操作部１０１によって図面作成領域が指定されたと判定する（ステップＳ２０１）。図４の例では、破線で囲った領域Ａ、Ｂ、Ｃが図面作成領域として指定されている。
セル生成部１１０は、操作部１０１によって指定された各図面作成領域Ａ、Ｂ、Ｃ内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換して、各図面作成領域Ａ、Ｂ、Ｃ内のレイアウトデータに対応する指定領域図形セル５００、６００、７００を生成する（ステップＳ２０２）。
【００２６】
図５の５００は、図面作成領域Ａ内のレイアウトデータに対応する指定領域図形セルである。図４のレイアウトデータでは表示領域４０２には複数の画素がレイアウト要素として含まれているが、図５の指定領域図形セル５００では、表示要素として同一機能を有し連続して配置された複数のレイアウト要素である複数の画素を一纏めにし、前記一纏めにした画素を、前記一纏めにした画素の輪郭である外枠セル５０１に置換している。
【００２７】
その他のレイアウト要素については、図４のレイアウトデータと図５の指定領域図形セル５００は同じに構成されている。例えば、マスクパターンのデータ等をレイアウトデータが含む場合に、図面データとして外部に現れるレイアウトデータのみが必要なとき等に、不要なデータは削除して必要なデータのみから成る、データ量が少ない簡略化した指定領域図形セルが得られることになる。
【００２８】
図６、図７の指定領域図形セル６００、７００は、各々、図面作成領域Ｂ、Ｃ内のレイアウトデータに対応する指定領域図形セルであり、図面作成領域Ｂ、Ｃの拡大図である。図７の指定領域図形セル７００では図５と同様に複数のレイアウト要素である複数の画素を一纏めにして外枠セル５０１に置換しているが、図６の指定領域図形セル６００では外枠セルに変換できるレイアウト要素を図面作成領域Ｂ内に含んでいないため、外枠セルに置換しておらず、図面作成領域Ｂ内のレイアウトデータと同一の図形である。
【００２９】
図面作成部１１１は、図面データを配置する台紙に相当する図面台紙セル８０１を記憶部１０４から読み出し、指定領域図形セル５００、６００、７００を図面台紙セル８０１内に配置することによって、図８に示すような図面作成領域Ａ、Ｂ、Ｃの図面データ８００を作成する（ステップＳ２０４）。図面作成部１１１は、このようにして作成した図面データにファイル名を付けて記憶部１０４に記憶して保存する（ステップＳ２０５）。
【００３０】
このとき図面作成部１１１は、図面データの改訂履歴を管理できるように、図面データのファイル名が、基本ファイル名と当該図面データの作成年月日及び時刻を含むように構成している。基本ファイル名が「Ｌａｙｏｕｔ」、図面データの作成年月日が「２００９年１月２３日」、作成時刻が「１４時１５分１６秒」の場合、ファイル名は例えば、「Ｌａｙｏｕｔ２００９０１２３１４１５１６」となる。
【００３１】
図３は、本発明の実施の形態においてレイアウトデータに変更があった場合に、当該変更箇所を含む全ての図面データを一括して自動的に変更して保存するときの処理を示すフローチャートである。
図９、図１０は、本発明の実施の形態においてレイアウトデータの変更にともなって、当該変更箇所を含む全ての図面データを一括して自動変更して保存するときの処理を示す説明図であり、表示部１０３に表示される表示内容を示している。図９、図１０の例は、図４〜図８に示した携帯電話用表示パネルに関する例である。
【００３２】
以下、図１、図４、図９、図１０を参照して、レイアウトデータの変更にともなって、当該変更箇所を含む全ての図面データを一括して変更して保存するときの動作を説明する。
先ずユーザが操作部１０１を操作して、記憶部１０４に記憶されたレイアウトデータの中の変更したいレイアウトデータを読み出して表示部１０３に表示させた後、表示されたレイアウトデータを変更する。例えば、変更前のレイアウトデータが図４のレイアウトデータであり、表示パネルを構成する丸形のマーク図形（例えばマスク図形）４０８を図９に示すような角形のマーク図形９０１に変更する。
【００３３】
変更部１１２は、操作部１０１の変更操作に対応するようにレイアウトデータを丸形の図形４０８から角形の図形９０１に変更する（ステップＳ３０１）。
検索部１１３は、記憶部１０４に記憶された図面データ中から、前記変更された領域を含む図面データのファイルを検索して全て抽出する（ステップＳ３０２）。
変更図面作成部１１４は、検索部１１３の検索結果に基づいて変更領域を含む図面データのファイルが有ると判定した場合（ステップＳ３０３）、変更領域を含む全図面データファイルの全図面データに前記変更内容を反映させて変更し（ステップＳ３０４）、変更した図面データファイルに新たなファイル名を付けて、変更前の図面データファイルとは別個に新たな図面データファイルとして記憶部１０４に記憶して保存する（ステップＳ３０５）。
【００３４】
本実施の形態では、図８の指定領域図形セル５００及び指定領域図形セル６００に丸形のマーク図形４０８が含まれているため、図１０に示すように、指定領域図形セル５００、６００の丸形マーク図形４０８を角形のマーク図形９０１に変更することによって各々指定領域図形セル５０００、６０００に変更し、指定領域図形セル７００については変更が成されていないため変更せずに、新たなファイル名を付けて新たな図面データファイルとして記憶部１０４に記憶して保存する。
【００３５】
このとき、変更前の図面データはそのままの状態で保存しておく。ファイル名は前述したように、変更後の図面データであることが解る識別情報を付けて保存するようにしている。前述した例のように、基本ファイル名と当該図面データの作成年月日及び時刻を含むようにファイル名を構成した場合、変更前の基本ファイル名は「Ｌａｙｏｕｔ」で同じとなるが、変更後の図面データの作成年月日時刻は変更時の年月日時刻になるため、改訂履歴を容易に管理することができる。
変更図面作成部１１４は、処理ステップＳ３０３において、検索部１１３の検索結果に基づいて変更領域を含む図面データのファイルが無いと判定した場合には図面データの変更処理を行うことなく終了する。
【００３６】
以上述べたように、本実施の形態に係る図面データ作成装置１００によれば、領域指定部１０９はＣＡＤによって作成された設計対象のレイアウトデータを記憶部１０４から読み出してレイアウトデータにおける図面作成領域を指定し、セル生成部１１０は領域指定部１０９によって指定された図面作成領域内のレイアウトデータのうち、同一機能を有し連続して配置された複数のレイアウト要素を一纏めにし、前記一纏めにしたレイアウト要素を、前記一纏めにしたレイアウト要素の輪郭である外枠セルに置換して指定領域図形セルを生成し、図面作成部１１１は前記指定領域図形セルを図面台紙セル内に配置することによって前記図面作成領域の図面データを作成する。
【００３７】
したがって、ＣＡＤによって作成された設計対象のレイアウトデータを利用して、目的に応じた設計対象領域の図面データを作成することが可能になる。
また、ＣＡＤによって作成された設計対象のレイアウトデータを利用して、目的に応じた設計対象領域の図面データを作成できるようにすると共に、レイアウトデータの内容が変更された場合に、変更内容に関連する図面データに変更内容を自動的に反映させて変更履歴を管理することが可能になる。
【００３８】
また、本実施の形態に係るプログラムをコンピュータが実行することにより、ＣＡＤによって作成された設計対象のレイアウトデータを利用して、目的に応じた設計対象領域の図面データを作成できるようにすると共に、レイアウトデータの内容が変更された場合に、変更内容に関連する図面データに変更内容を自動的に反映させて変更履歴を管理することが可能な図面データ作成装置を構築することが可能になる。
【００３９】
尚、本実施の形態では、設計対象の例として携帯電話の表示部の図面データを作成する例で説明したが、各種の電子装置や機械装置をはじめ、種々の設計対象について適用することが可能である。
また、図面作成領域に含まれるレイアウトデータのうち、どのレイアウトデータを一纏めにして外枠セルに置換するかを予め設定するように構成してもよい。
【００４０】
また、配線パターンは、レイアウトデータ中の指定したレイヤの配線パターンを表示し、当該配線パターンを図形データとして使用するように構成してもよい。
また、本実施の形態では、複数の図面作成領域を指定して複数の指定領域図形セルを含む図面データを作成するようにしたが、図面データは少なくとも１つの指定領域図形セルを含むようにしてもよい。
【産業上の利用可能性】
【００４１】
携帯電話や表示装置をはじめとする各種の電子装置や機械装置等、種々の設計対象の図面データ作成装置に適用できる。
【符号の説明】
【００４２】
１００・・・図面データ作成装置
１０１・・・操作部
１０２・・・データ処理部
１０３・・・表示部
１０４・・・記憶部
１０５・・・マウス
１０６・・・キーボード
１０７・・・図面データ作成部
１０８・・・変更図面データ作成部
１０９・・・領域指定部
１１０・・・セル生成部
１１１・・・図面作成部
１１２・・・変更部
１１３・・・検索部
１１４・・・変更図面作成部
１２０・・・記録媒体
４０１・・・ガラスパネル
４０２・・・表示領域
４０３・・・ドライバＩＣ
４０４・・・フレキシブル基板用端子
４０５、４０６、４０７・・・配線パターン
４０８、９０１・・・マーク図形
５００、６００、７００・・・指定領域図形セル
５０１・・・外枠セル
８０１・・・図面台紙セル
【図１】
2011081503.tif 000003
【図２】
2011081503.tif 000004
【図３】
2011081503.tif 000005
【図４】
2011081503.tif 000006
【図５】
2011081503.tif 000007
【図６】
2011081503.tif 000008
【図７】
2011081503.tif 000009
【図８】
2011081503.tif 000010
【図９】
2011081503.tif 000011
【図１０】
2011081503.tif 000012